(57)【特許請求の範囲】
【請求項１】
平板状の第１コネクタと平板状の第２コネクタとを互いに嵌合方向にスライドして嵌合させる薄型コネクタであって、
前記第１コネクタは、第１絶縁層の上に互いに中間絶縁層を介して積層されたメッキ層からなる複数の第１導電層を有し、
それぞれの前記第１導電層は、前記嵌合方向に交差する配列方向に配列された複数のバネ接点を含むバネ接点列を有し、
前記複数の第１導電層のうち前記第１絶縁層に近い第１導電層の前記バネ接点列ほど前記嵌合方向の前方に、前記第１絶縁層から遠い第１導電層の前記バネ接点列ほど前記嵌合方向の後方に配置され、
それぞれの前記バネ接点列の前記複数のバネ接点は、前記配列方向に変位可能なバネ性を有すると共に同一の第１接続対象物上に接続される実装部を有し、
前記第２コネクタは、第２絶縁層の上に配置されたメッキ層からなる１つの第２導電層を有し、
前記第２導電層は、それぞれ前記配列方向に配列された複数の突起を含み且つ前記嵌合方向に位置をずらして配置された複数の突起列を有し、
前記複数の突起列のうち前記嵌合方向の前方に位置する突起列の前記複数の突起ほど低く、前記嵌合方向の後方に位置する突起列の前記複数の突起ほど高い高さを有し、
それぞれの前記突起列の前記複数の突起は、同一の第２接続対象物上に接続される実装部を有し、
前記第１絶縁層と前記第２絶縁層が互いに外方を向くように前記第１コネクタと前記第２コネクタを位置させて嵌合したときに、前記第１コネクタのそれぞれの前記バネ接点列の前記複数のバネ接点が前記第２コネクタの対応する前記突起列の前記複数の突起に接続されることを特徴とする薄型コネクタ。
【請求項２】
前記第１コネクタの前記複数の第１導電層は、前記第１絶縁層の上に配置された第１金属層と、前記第１金属層の上に前記中間絶縁層を介して配置された第２金属層を含み、
前記第１金属層は前記配列方向に配列された複数の第１バネ接点を含む第１バネ接点列を有し、前記第２金属層は前記第１金属層の前記第１バネ接点列よりも前記嵌合方向の後方に配置され且つ前記配列方向に配列された複数の第２バネ接点を含む第２バネ接点列を有し、
前記第２コネクタの前記第２導電層は、前記配列方向に配列された複数の第１突起を含む第１突起列と、前記第１突起列よりも前記嵌合方向の前方に配置され且つ前記第１突起より低い複数の第２突起が前記配列方向に配列された第２突起列を有し、
前記第１コネクタと前記第２コネクタの嵌合時に、前記第１コネクタの前記複数の第１バネ接点が前記第２コネクタの前記複数の第１突起に接続され、前記第１コネクタの前記複数の第２バネ接点が前記第２コネクタの前記複数の第２突起に接続される請求項１に記載の薄型コネクタ。
【請求項３】
前記第１コネクタと前記第２コネクタの嵌合時に、前記第１バネ接点は、対応する前記第１突起を両側から挟み込み、前記第２バネ接点は、対応する前記第２突起を両側から挟み込む請求項２に記載の薄型コネクタ。
【請求項４】
前記第１コネクタは、前記複数の第１バネ接点の間および前記複数の第２バネ接点の間に前記嵌合方向に沿って配置された複数のバネ接点保護部を有する請求項２または３に記載の薄型コネクタ。
【請求項５】
前記第１コネクタおよび前記第２コネクタの一方は、前記配列方向の両端部にそれぞれ形成され且つ前記嵌合方向の前方に向かって開口する一対の位置合わせ用凹部を有し、
前記第１コネクタおよび前記第２コネクタの他方は、前記配列方向の両端部にそれぞれ形成され且つ前記嵌合方向の前方に向かって突出する一対の位置合わせ用凸部を有し、
前記第１コネクタと前記第２コネクタの嵌合時に、前記一対の位置合わせ用凸部が前記一対の位置合わせ用凹部に嵌り込む請求項１〜４のいずれか一項に記載の薄型コネクタ。
【請求項６】
前記一対の位置合わせ用凹部および前記一対の位置合わせ用凸部の一方は、前記第１絶縁層または前記第２絶縁層に平行に張り出す張り出し部を有し、
前記一対の位置合わせ用凹部および前記一対の位置合わせ用凸部の他方は、前記第１コネクタと前記第２コネクタの嵌合時に、前記張り出し部と前記第１絶縁層または前記第２絶縁層の間に入り込む請求項５に記載の薄型コネクタ。
【請求項７】
前記一対の位置合わせ用凹部および前記一対の位置合わせ用凸部の一方は、前記配列方向に変位可能なロック部を有し、
前記一対の位置合わせ用凹部および前記一対の位置合わせ用凸部の他方は、前記第１コネクタと前記第２コネクタの嵌合時に、前記ロック部が嵌り込むロック受け部を有する請求項５または６に記載の薄型コネクタ。
【発明の詳細な説明】
【技術分野】
【０００１】
この発明は、薄型コネクタに係り、特に、平板状の第１コネクタと平板状の第２コネクタとを互いに嵌合方向にスライドして嵌合させる薄型コネクタに関する。
【背景技術】
【０００２】
この種のコネクタとして、例えば、特許文献１には、図１７に示されるように、多層基板１に平板状ケーブル２の接続部３を接続するコネクタが開示されている。図１８に示されるように、多層基板１は、一列に配列された複数の柱状端子４を有し、平板状ケーブル２の接続部３は、一列に配列された複数の平板状端子５を有している。
平板状ケーブル２の接続部３を多層基板１の挿入口１Ａから多層基板１の内部に挿入すると、平板状ケーブル２の接続部３に配置された複数の平板状端子５が、多層基板１の複数の柱状端子４にそれぞれ接触し、多層基板１と平板状ケーブル２とが接続状態となる。
【先行技術文献】
【特許文献】
【０００３】
【特許文献１】特開２０１４−１９１９５２号公報
【発明の概要】
【発明が解決しようとする課題】
【０００４】
しかしながら、柱状端子４の配列方向における多層基板１の幅寸法を維持したまま、接点数を増加するためには、図１９に示されるように、層数を増やした多層基板６に複数の平板状ケーブル２を接続しなければならず、操作性が低下するという問題があった。
【０００５】
この発明は、このような従来の問題点を解消するためになされたもので、１つの第１コネクタと１つの第２コネクタの嵌合のみでありながら、第１コネクタおよび第２コネクタの嵌合方向に直交する幅寸法を増大させることなく、接点数の増加を図ることが可能な薄型コネクタを提供することを目的とする。
【課題を解決するための手段】
【０００６】
この発明に係る薄型コネクタは、平板状の第１コネクタと平板状の第２コネクタとを互いに嵌合方向にスライドして嵌合させる薄型コネクタであって、第１コネクタは、第１絶縁層の上に互いに中間絶縁層を介して積層されたメッキ層からなる複数の第１導電層を有し、それぞれの第１導電層は、嵌合方向に交差する配列方向に配列された複数のバネ接点を含むバネ接点列を有し、複数の第１導電層のうち第１絶縁層に近い第１導電層のバネ接点列ほど嵌合方向の前方に、第１絶縁層から遠い第１導電層のバネ接点列ほど嵌合方向の後方に配置され、それぞれのバネ接点列の複数のバネ接点は、配列方向に変位可能なバネ性を有すると共に同一の第１接続対象物上に接続される実装部を有し、第２コネクタは、第２絶縁層の上に配置されたメッキ層からなる１つの第２導電層を有し、第２導電層は、それぞれ配列方向に配列された複数の突起を含み且つ嵌合方向に位置をずらして配置された複数の突起列を有し、複数の突起列のうち嵌合方向の前方に位置する突起列の複数の突起ほど低く、嵌合方向の後方に位置する突起列の複数の突起ほど高い高さを有し、それぞれの突起列の複数の突起は、同一の第２接続対象物上に接続される実装部を有し、第１絶縁層と第２絶縁層が互いに外方を向くように第１コネクタと第２コネクタを位置させて嵌合したときに、第１コネクタのそれぞれのバネ接点列の複数のバネ接点が第２コネクタの対応する突起列の複数の突起に接続されるものである。
【０００７】
第１コネクタの複数の第１導電層は、第１絶縁層の上に配置された第１金属層と、第１金属層の上に中間絶縁層を介して配置された第２金属層を含み、第１金属層は配列方向に配列された複数の第１バネ接点を含む第１バネ接点列を有し、第２金属層は第１金属層の第１バネ接点列よりも嵌合方向の後方に配置され且つ配列方向に配列された複数の第２バネ接点を含む第２バネ接点列を有し、第２コネクタの第２導電層は、配列方向に配列された複数の第１突起を含む第１突起列と、第１突起列よりも嵌合方向の前方に配置され且つ第１突起より低い複数の第２突起が配列方向に配列された第２突起列を有し、第１コネクタと第２コネクタの嵌合時に、第１コネクタの複数の第１バネ接点が第２コネクタの複数の第１突起に接続され、第１コネクタの複数の第２バネ接点が第２コネクタの複数の第２突起に接続されるように構成することができる。
【０００８】
第１コネクタと第２コネクタの嵌合時に、第１バネ接点は、対応する第１突起を両側から挟み込み、第２バネ接点は、対応する第２突起を両側から挟み込むことが好ましい。
また、第１コネクタは、複数の第１バネ接点の間および複数の第２バネ接点の間に嵌合方向に沿って配置された複数のバネ接点保護部を有することが好ましい。
【０００９】
第１コネクタおよび第２コネクタの一方は、配列方向の両端部にそれぞれ形成され且つ嵌合方向の前方に向かって開口する一対の位置合わせ用凹部を有し、第１コネクタおよび第２コネクタの他方は、配列方向の両端部にそれぞれ形成され且つ嵌合方向の前方に向かって突出する一対の位置合わせ用凸部を有し、第１コネクタと第２コネクタの嵌合時に、一対の位置合わせ用凸部が一対の位置合わせ用凹部に嵌り込むように構成することができる。
【００１０】
さらに、一対の位置合わせ用凹部および一対の位置合わせ用凸部の一方は、第１絶縁層または第２絶縁層に平行に張り出す張り出し部を有し、一対の位置合わせ用凹部および一対の位置合わせ用凸部の他方は、第１コネクタと第２コネクタの嵌合時に、張り出し部と第１絶縁層または第２絶縁層の間に入り込むようにすることが好ましい。
また、好ましくは、一対の位置合わせ用凹部および一対の位置合わせ用凸部の一方は、配列方向に変位可能なロック部を有し、一対の位置合わせ用凹部および一対の位置合わせ用凸部の他方は、第１コネクタと第２コネクタの嵌合時に、ロック部が嵌り込むロック受け部を有している。
【発明の効果】
【００１１】
この発明によれば、第１コネクタの複数の第１導電層のうち第１絶縁層に近い第１導電層のバネ接点列ほど嵌合方向の前方に、第１絶縁層から遠い第１導電層のバネ接点列ほど嵌合方向の後方に配置され、第２コネクタの第２導電層に嵌合方向に位置をずらして配置された複数の突起列のうち嵌合方向の前方に位置する突起列の複数の突起ほど低く、嵌合方向の後方に位置する突起列の複数の突起ほど高い高さを有しているので、第１絶縁層と第２絶縁層が互いに外方を向くように第１コネクタと第２コネクタを位置させて嵌合したときに、第１コネクタのそれぞれのバネ接点列の複数のバネ接点が第２コネクタの対応する突起列の複数の突起に接続され、第１コネクタおよび第２コネクタの嵌合方向に直交する幅寸法を増大させることなく、接点数の増加を図ることが可能となる。
【図面の簡単な説明】
【００１２】
【図１】この発明の実施の形態に係る薄型コネクタの嵌合前のレセプタクルとプラグを示す斜視図である。
【図２】図１の要部拡大図である。
【図３】実施の形態に用いられたレセプタクルを示し、（Ａ）は斜視図、（Ｂ）は平面図、（Ｃ）は底面図、（Ｄ）は拡大側面図である。
【図４】レセプタクルの第１バネ接点および第２バネ接点を示し、（Ａ）は斜視図、（Ｂ）は平面図、（Ｃ）は側面図、（Ｄ）は底面図である。
【図５】レセプタクルの分解図である。
【図６】実施の形態に用いられたプラグを示し、（Ａ）は斜視図、（Ｂ）は平面図、（Ｃ）は底面図、（Ｄ）は拡大側面図である。
【図７】プラグの要部を示す拡大斜視図である。
【図８】プラグの第１突起および第２突起を示す側面図である。
【図９】プラグの分解図である。
【図１０】嵌合前のレセプタクルの第１バネ接点および第２バネ接点とプラグの第１突起および第２突起を示す斜視図である。
【図１１】嵌合前のレセプタクルの第１バネ接点および第２バネ接点とプラグの第１突起および第２突起を示す平面図である。
【図１２】嵌合状態のレセプタクルとプラグを示す斜視図である。
【図１３】図１２の要部拡大図である。
【図１４】嵌合時のレセプタクルの第１バネ接点および第２バネ接点とプラグの第１突起および第２突起を示す斜視図である。
【図１５】嵌合時のレセプタクルの第１バネ接点および第２バネ接点とプラグの第１突起および第２突起を示す平面図である。
【図１６】嵌合時のレセプタクルの第１バネ接点および第２バネ接点とプラグの第１突起および第２突起を示す側面断面図である。
【図１７】従来のコネクタが適用された多層基板と平板状ケーブルを示す斜視図である。
【図１８】従来のコネクタに用いられた柱状端子と平板状端子を示す斜視図である。
【図１９】従来のコネクタが適用された多層基板と複数の平板状ケーブルを示す斜視図である。
【発明を実施するための形態】
【００１３】
以下、この発明の実施の形態を添付図面に基づいて説明する。
図１に、この発明の実施の形態に係る薄型コネクタの構成を示す。薄型コネクタは、平板状のレセプタクル（第１コネクタ）１１と平板状のプラグ（第２コネクタ）３１とを備えており、これらレセプタクル１１およびプラグ３１を互いに嵌合軸Ｃに沿った嵌合方向にスライドすることで嵌合が行われる。図１では、レセプタクル１１およびプラグ３１が互いに平行で間隔を隔てて配置された嵌合前の状態が示されている。
【００１４】
レセプタクル１１は、嵌合軸Ｃに対して直交する方向に延びるレセプタクル本体１２と、レセプタクル本体１２に保持され且つ嵌合軸Ｃに対して直交する方向に２列に配列された複数のバネ接点１３を有している。一方、プラグ３１は、嵌合軸Ｃに対して直交する方向に延びるプラグ本体３２と、プラグ本体３２に保持され且つ嵌合軸Ｃに対して直交する方向に２列に配列された複数の突起３３を有している。
レセプタクル本体１２の両端部には、嵌合軸Ｃに沿うと共にプラグ３１に向かって開口する一対の位置合わせ用凹部１４が形成され、プラグ本体３２の両端部には、嵌合軸Ｃに沿うと共にレセプタクル１１に向かって突出する一対の位置合わせ用凸部３４が形成されている。
【００１５】
図２に示されるように、位置合わせ用凹部１４と位置合わせ用凸部３４は、互いに対応する形状を有しており、一対の位置合わせ用凹部１４に一対の位置合わせ用凸部３４が嵌り込むことにより、嵌合時におけるレセプタクル１１とプラグ３１の位置合わせが行われる。
ここで、便宜上、平板状のレセプタクル１１およびプラグ３１が延びる平面をＸＹ面、複数のバネ接点１３および複数の突起３３の配列方向をＸ方向、嵌合軸Ｃに沿ってプラグ３１からレセプタクル１１に向かう方向を＋Ｙ方向、ＸＹ面に垂直で複数の突起３３がそれぞれ突出する方向を＋Ｚ方向と呼ぶことにする。
レセプタクル１１にとっては、−Ｙ方向がプラグ３１と嵌合する嵌合方向の前方にあたり、プラグ３１にとっては、＋Ｙ方向がレセプタクル１１と嵌合する嵌合方向の前方にあたることとなる。
【００１６】
レセプタクル１１の構成を図３（Ａ）〜（Ｄ）に示す。図３（Ａ）は、下方が＋Ｚ方向となるように、図１に示されるレセプタクル１１を上下逆さにした状態を示している。
レセプタクル１１は、図３（Ｄ）に示されるように、−Ｚ方向に向かって、第１絶縁層１５と第１導電層（第１金属層）１６と中間絶縁層１７ともう１つの第１導電層（第２金属層）１８が順次積層された、４層構造を有している。
【００１７】
第１絶縁層１５の−Ｚ方向側の表面上に配置された第１金属層１６は、Ｘ方向に配列された複数の第１バネ接点１９を含む第１バネ接点列Ｒ１Ａを有し、中間絶縁層１７の−Ｚ方向側の表面上に配置された第２金属層１８は、Ｘ方向に配列された複数の第２バネ接点２０を含む第２バネ接点列Ｒ１Ｂを有している。
第１金属層１６および第２金属層１８のうち、第１絶縁層１５に近い第１金属層１６の第１バネ接点列Ｒ１Ａが、第１絶縁層１５から遠い第２金属層１８の第２バネ接点列Ｒ１Ｂよりも嵌合方向の前方すなわち−Ｙ方向側に配置されている。
【００１８】
複数の第１バネ接点１９および複数の第２バネ接点２０は、それぞれ、Ｙ方向に延びており、第１バネ接点１９の＋Ｙ方向端部に実装部２１が形成されると共に第２バネ接点２０の＋Ｙ方向端部に実装部２２が形成されている。これらの実装部２１および２２は、レセプタクル１１が搭載される基板等の図示しない第１接続対象物の配線パッドに接続されるもので、レセプタクル本体１２から＋Ｙ方向に突出している。
【００１９】
また、レセプタクル本体１２には、複数の第１バネ接点１９の間および複数の第２バネ接点２０の間に嵌合方向に沿って−Ｙ方向に延びる複数のバネ接点保護部２３が形成されており、バネ接点保護部２３は、第１バネ接点１９および第２バネ接点２０よりも嵌合方向の前方に突出している。
さらに、レセプタクル本体１２には、一対の位置合わせ用凹部１４内にそれぞれ配置され且つＸ方向に変位可能なロック部２４が形成されている。
【００２０】
図４（Ａ）〜（Ｄ）に示されるように、第１金属層１６に形成された第１バネ接点１９と第２金属層１８に形成された第２バネ接点２０は、互いにＹ方向に整列しており、それぞれ、配列方向であるＸ方向に変位可能なバネ性を有している。また、第２バネ接点２０は第１バネ接点１９よりも＋Ｙ方向側にΔＹだけずれると共に−Ｚ方向側にΔＺだけずれた位置に配置されている。
なお、第１バネ接点１９と第２バネ接点２０との間には中間絶縁層１７が配置されており、これら第１バネ接点１９と第２バネ接点２０は、互いに絶縁されている。
【００２１】
このようなレセプタクル１１は、図５に示されるように、エッチング加工された中間絶縁層１７の表面上にメッキを施すことにより複数の第２バネ接点２０および複数の実装部２２を有する第２金属層１８を形成したものを、エッチング加工された第１絶縁層１５の表面上にメッキを施すことにより複数の第１バネ接点１９および複数の実装部２１を有する第１金属層１６を形成したものに貼り付けることで、作製することができる。
なお、メッキの代わりにエッチングを行うことによっても第１金属層１６および第２金属層１８を形成することができる。
【００２２】
プラグ３１の構成を図６（Ａ）〜（Ｄ）に示す。プラグ３１は、第２絶縁層３５と第２導電層３６が積層された、２層構造を有している。
第２導電層３６は、Ｘ方向に延びると共に両端部にそれぞれ位置合わせ用凸部３４が形成された導電部３６Ａと、Ｘ方向に配列された複数の第１突起３７を含む第１突起列Ｒ２Ａと、第１突起列Ｒ２Ａよりも嵌合方向の前方すなわち＋Ｙ方向側でＸ方向に配列された複数の第２突起３８を含む第２突起列Ｒ２Ｂとを有している。複数の第１突起３７および複数の第２突起３８は、第２絶縁層３５の＋Ｚ方向側の表面上に突出している。
また、図６（Ｃ）に示されるように、複数の第１突起３７は、−Ｚ方向側に複数の実装部３９を有し、複数の第２突起３８は、−Ｚ方向側に複数の実装部４０を有している。これらの実装部３９および４０は、プラグ３１が搭載される基板等の図示しない第２接続対象物の配線パッドに接続されるものである。
【００２３】
導電部３６Ａは、第２絶縁層３５と共にプラグ本体３２を形成するもので、導電部３６Ａは、−Ｚ方向側に複数の実装部４１を有している。
また、導電部３６ＡのＸ方向両端部に形成されている位置合わせ用凸部３４は、嵌合方向の前方すなわち＋Ｙ方向に向かって先細りとなるテーパ形状を有すると共に、図６（Ｄ）および図７に示されるように、複数の第１突起３７および複数の第２突起３８とは反対側のＸ方向の端部に凹状のロック受け部４２を有している。さらに、位置合わせ用凸部３４には、第２絶縁層３５に平行にＸＹ面内で張り出す張り出し部３４Ａが形成されている。
【００２４】
図７に示されるように、第２絶縁層３５の表面から＋Ｚ方向に突出する第１突起３７および第２突起３８は、互いにＹ方向に整列しており、図８に示されるように、第２突起３８は第１突起３７よりも＋Ｙ方向側にΔＹだけずれた位置に配置されている。また、第１突起３７および第２突起３８は、それぞれ、高さＨ１およびＨ２を有しており、第２突起３８は第１突起３７よりもΔＺ＝Ｈ１−Ｈ２だけ低く形成されている。
【００２５】
このようなプラグ３１は、図９に示されるように、複数の実装部３９、４０および４１に対応する複数の貫通孔４３、４４および４５が予め形成された第２絶縁層３５の表面上にメッキを施して第２導電層３６を形成することで、作製することができる。
貫通孔４３、４４および４５を通して実装部３９、４０および４１が第２絶縁層３５の−Ｚ方向側に露出することとなる。
なお、メッキの代わりにエッチングを行うことによっても第２導電層３６を形成することができる。
【００２６】
レセプタクル１１の第１絶縁層１５が＋Ｚ方向を向き、プラグ３１の第２絶縁層３５が−Ｚ方向を向くように、レセプタクル１１とプラグ３１をＹ方向に対向させたときの、嵌合前におけるレセプタクル１１の第１バネ接点１９および第２バネ接点２０とプラグ３１の第１突起３７および第２突起３８の位置関係を図１０および１１に示す。レセプタクル１１の第１バネ接点１９および第２バネ接点２０とプラグ３１の第１突起３７および第２突起３８がＹ方向に整列している。また、レセプタクル１１の第２バネ接点２０が、第１バネ接点１９よりも−Ｚ方向側にΔＺだけずれた位置に配置され、プラグ３１の第２突起３８が第１突起３７よりもΔＺだけ低く形成されていることから、第１バネ接点１９の＋Ｚ方向側の表面と第１突起３７の＋Ｚ方向側の表面が互いにほぼ同じＺ方向の位置となるように、レセプタクル１１とプラグ３１を互いに対向させると、レセプタクル１１の第２バネ接点２０とプラグ３１の第２突起３８は、互いにほぼ同じＺ方向の位置となる。
【００２７】
この状態で、図１２に示されるように、レセプタクル１１に対してプラグ３１を相対的に＋Ｙ方向にスライドさせて、レセプタクル１１の一対の位置合わせ用凹部１４にプラグ３１の一対の位置合わせ用凸部３４を嵌め込むことにより、レセプタクル１１とプラグ３１が互いに嵌合される。
このとき、図１３に示されるように、プラグ３１の位置合わせ用凸部３４は、嵌合方向の前方すなわち＋Ｙ方向に向かって先細りとなるテーパ形状を有しているため、レセプタクル１１とプラグ３１とがＸＹ面上でわずかに位置ずれを生じている状態で、レセプタクル１１に対するプラグ３１の相対的なスライド動作を行っても、レセプタクル１１とプラグ３１を正確に嵌合させることができる。
【００２８】
レセプタクル１１とプラグ３１の嵌合により、図１４および１５に示されるように、レセプタクル１１の第１バネ接点１９がＸ方向に変位してプラグ３１の第１突起３７を両側から挟み込み、第１バネ接点１９と第１突起３７とが互いに電気的に接続される。
また、レセプタクル１１の第２バネ接点２０が第１バネ接点１９よりも＋Ｙ方向側にΔＹだけずれると共にプラグ３１の第２突起３８も第１突起３７よりも＋Ｙ方向側にΔＹだけずれており、第２バネ接点２０と第２突起３８は互いにほぼ同じＺ方向の位置にあるので、第１バネ接点１９と第１突起３７とが互いに電気的に接続されたときには、同時に、レセプタクル１１の第２バネ接点２０がＸ方向に変位してプラグ３１の第２突起３８を両側から挟み込み、第２バネ接点２０と第２突起３８とが互いに電気的に接続される。
【００２９】
このようにして、１つのレセプタクル１１と１つのプラグ３１を互いに嵌合させるだけで、レセプタクル１１の第１バネ接点列Ｒ１Ａの複数の第１バネ接点１９がそれぞれプラグ３１の第１突起列Ｒ２Ａの複数の第１突起３７に接続されると共に、レセプタクル１１の第２バネ接点列Ｒ１Ｂの複数の第２バネ接点２０がそれぞれプラグ３１の第２突起列Ｒ２Ｂの複数の第２突起３８に接続されることとなる。従って、レセプタクル１１およびプラグ３１の嵌合方向に直交するＸ方向の幅寸法を増大させることなく、Ｘ方向の単位長さあたりの接点数を増加して多数の接点における接続を行うことが可能となる。
【００３０】
図１６に示されるように、レセプタクル１１を第１接続対象物Ｓ１に搭載すると共に複数の実装部２１および２２を第１接続対象物Ｓ１の対応する配線パッドに接続し、プラグ３１を第２接続対象物Ｓ２に搭載すると共に複数の実装部３９および４０を第２接続対象物Ｓ２の対応する配線パッドに接続し、レセプタクル１１とプラグ３１を互いに嵌合させることで、第１接続対象物Ｓ１と第２接続対象物Ｓ２の間の電気的接続を行うことができる。
【００３１】
なお、プラグ３１の位置合わせ用凸部３４がレセプタクル１１の位置合わせ用凹部１４に嵌め込まれたときに、レセプタクル１１の一部がプラグ３１の位置合わせ用凸部３４に形成されている張り出し部３４Ａと第２絶縁層３５の間に入り込むことで、嵌合状態にあるレセプタクル１１とプラグ３１がＺ方向に外れることが防止される。さらに、プラグ３１の位置合わせ用凸部３４がレセプタクル１１の位置合わせ用凹部１４に嵌め込まれると、レセプタクル１１の位置合わせ用凹部１４に形成されているロック部２４が、プラグ３１の位置合わせ用凸部３４のＸ方向の端部に形成されている凹状のロック受け部４２に嵌り込み、嵌合状態にあるレセプタクル１１とプラグ３１がＹ方向に外れることが防止される。
【００３２】
また、レセプタクル１１の複数の第１バネ接点１９の間および複数の第２バネ接点２０の間に形成されている複数のバネ接点保護部２３により、それぞれの第１バネ接点１９および第２バネ接点２０が保護されている。
このため、レセプタクル１１とプラグ３１の嵌合状態が維持され、複数の第１バネ接点１９と複数の第１突起３７の間並びに複数の第２バネ接点２０と複数の第２突起３８の間に信頼性のある電気導通状態が確立されることとなる。
【００３３】
上記の実施の形態では、レセプタクル１１が複数の第１バネ接点１９および複数の第２バネ接点２０を有し、プラグ３１が複数の第１突起３７および複数の第２突起３８を有しているが、逆に、レセプタクル１１が複数の第１突起３７および複数の第２突起３８を有し、プラグ３１が複数の第１バネ接点１９および複数の第２バネ接点２０を有するように構成することもできる。
【００３４】
また、レセプタクル１１が、第１絶縁層１５上に配置された第１金属層１６が有する第１バネ接点列Ｒ１Ａと中間絶縁層１７上に配置された第２金属層１８が有する第２バネ接点列Ｒ１Ｂの２列に配列された第１バネ接点１９および第２バネ接点２０を有し、プラグ３１が、第１突起列Ｒ２Ａと第２突起列Ｒ２Ｂの２列に配列された第１突起３７および第２突起３８を有しているが、これに限るものではない。
【００３５】
例えば、３層以上の第１導電層にそれぞれ形成された３列以上のバネ接点列を有するレセプタクルと、３列以上の突起列を有するプラグを嵌合させることもできる。ただし、このとき、レセプタクルの複数の第１導電層のうち第１絶縁層に近い第１導電層のバネ接点列ほど嵌合方向の前方に、第１絶縁層から遠い第１導電層のバネ接点列ほど嵌合方向の後方に配置され、プラグの複数の突起列のうち嵌合方向の前方に位置する突起列の複数の突起ほど低く、嵌合方向の後方に位置する突起列の複数の突起ほど高い高さを有することが必要である。このようにすれば、３列以上の多数の接点を同時に接続することができ、レセプタクルおよびプラグの嵌合方向に直交する幅寸法を増大させることなく、さらに接点数の増加を図ることが可能となる。
【符号の説明】
【００３６】
１，６  多層基板、２  平板状ケーブル、３  接続部、４  柱状端子、５  平板状端子、１１  レセプタクル（第１コネクタ）、１２  レセプタクル本体、１３  バネ接点、１４  位置合わせ用凹部、１５  第１絶縁層、１６  第１導電層（第１金属層）、１７  中間絶縁層、１８  第１導電層（第２金属層）、１９  第１バネ接点、２０  第２バネ接点、２１，２２，３９，４０，４１  実装部、２３  バネ接点保護部、２４  ロック部、３１  プラグ（第２コネクタ）、３２  プラグ本体、３３  突起、３４  位置合わせ用凸部、３４Ａ  張り出し部、３５  第２絶縁層、３６  第２導電層、３６Ａ  導電部、３７  第１突起、３８  第２突起、４３，４４，４５  貫通孔、Ｒ１Ａ  第１バネ接点列、Ｒ１Ｂ  第２バネ接点列、Ｒ２Ａ  第１突起列、Ｒ２Ｂ  第２突起列、ΔＹ，ΔＺ  ずれ、Ｈ１，Ｈ２  高さ、Ｓ１  第１接続対象物、Ｓ２  第２接続対象物。
【図１】
0006452556.tif 000002
【図２】
0006452556.tif 000003
【図３】
0006452556.tif 000004
【図４】
0006452556.tif 000005
【図５】
0006452556.tif 000006
【図６】
0006452556.tif 000007
【図７】
0006452556.tif 000008
【図８】
0006452556.tif 000009
【図９】
0006452556.tif 000010
【図１０】
0006452556.tif 000011
【図１１】
0006452556.tif 000012
【図１２】
0006452556.tif 000013
【図１３】
0006452556.tif 000014
【図１４】
0006452556.tif 000015
【図１５】
0006452556.tif 000016
【図１６】
0006452556.tif 000017
【図１７】
0006452556.tif 000018
【図１８】
0006452556.tif 000019
【図１９】
0006452556.tif 000020